(57)【要約】【課題】  和型桟瓦の乾燥用パレットを異形瓦の瓦素地の乾燥用に転用して乾燥する方法において、製品の裏面に支持突起が残存しないようにし、乾燥による瓦素地の変形を生じないようにする。【解決手段】  異形瓦を乾燥用パレット上に載置させたときに、異形瓦の裏面の桟側載置杆の対応部位ではその中央部の大部分が桟側載置杆との間に空隙を生じ、  該裏面の谷部載置杆の対応部位では桟側載置杆側に空隙を残す一方、差込側載置側を谷部載置杆によって支持させ、該裏面の差込側載置杆の対応部位では前記の頭側、中央部および尻側が差込側載置杆の表面に倣う傾斜部により支持させ、残余の部位は差込側載置杆の表面との間に空隙を残すことにより乾燥する。【選択図】      図６
2006062083.tif 000002
【特許請求の範囲】
【請求項１】
和型桟瓦用の瓦素地の桟側、谷部および差込側のそれぞれに対応させて桟側載置杆１０ａ、谷部載置杆１０ｂおよび差込側載置杆１０ｃが一定の間隔を隔てて備えられ、桟側載置杆１０ａの載置面１０ａ−１は前方から後方にかけて中央部がやや高く、かつ、縦断面形状が上方に向う緩やかな略円弧状に設けられ、
谷部載置杆１０ｂは前方から後方にかけて凹部載置面１０ｂ−１と凸部載置面１０ｂ−２が交互に設けられ、全体としてその表面は略水平に設けられ、
差込側載置杆１０ｃの載置面１０ｃ−１は前方から後方にかけて中央部がやや低く
、かつ、縦断面形状が外側から該谷部載置杆１０ｂ側に向けて下方に傾斜され、該桟側載置杆１０ａ、谷部載置杆１０ｂおよび差込側載置杆１０ｃの少なくとも各載置面に空気流通孔１０ｄが形成された和型桟瓦の瓦素地の乾燥用パレット１０を異形瓦用の瓦素地Ｗの乾燥に転用して行う異形瓦用の瓦素地の乾燥方法において、
一方、異形瓦用の瓦素地Ｗの裏面の形態が和型桟瓦用の瓦素地の裏面の形態と共通な構成において、
該乾燥用パレット１０上に載置させたときの異形瓦用の瓦素地Ｗの裏面の桟側載置杆１０ａの対応部位は、尻側から頭側にかけて設けられた断面円弧状の山部１２の裏面における頭寄りの位置と尻寄りの位置に、該山部１２の最大の深い箇所に膨出部１２ａ、１２ｂをそれぞれ形成し、かつ、それぞれの膨出部１２ａ、１２ｂのそれぞれの表面Ｓ、Ｓを水平に設け、
谷部載置杆１０ｂの対応部位は、和型桟瓦用の瓦素地と同様に緩やかな断面円弧状であって、かつ、前記の山部１２側にかけて瓦素地Ｗの表面側に向けてやや傾斜させた円弧面１５を設け、
差込側載置杆１０ｃの対応部位は、外側から内側にかけて緩やかにその肉厚を徐々に谷部の肉厚と等しくなるように薄く傾斜部１４として形成し、かつ、その傾斜部１４の傾斜面１４ａを水平に設け、
該異形瓦用の瓦素地Ｗの裏面のそれぞれの対応部位を該乾燥用パレット１０
の桟側載置杆１０ａ、谷部載置杆１０ｂおよび差込側載置杆１０ｃに載置させ、
桟側載置杆１０ａの対応部位は、該両膨出部１２ａ、１２ｂのそれぞれの表面Ｓの中央部を桟側載置杆１０ａの載置面１０ａ−１に支持させるとともに、その中央部の両側は該瓦素地Ｗの裏面と桟側載置杆１０ａの載置面１０ａ−１との間に空隙ｃ、ｃを生じさせることにより桟側載置杆１０ａから該瓦素地Ｗを遊離して配置させ、
谷部載置杆１０ｂの対応部位は、該瓦素地Ｗの裏面と谷部載置杆１０ｂの凸部載置面１０ｂ−２の表面との間において桟側載置杆１０ａ側に空隙ｃを生じさせる一方、該瓦素地Ｗの裏面の差込側載置杆１０ｃ側の一部を谷部載置杆１０ｂの載置面により支持させ、
かつ、谷部載置杆１０ｂの凹部載置面１０ｂ−１の表面との間において空隙ｃを形成させ、
差込側載置杆１０ｃの対応部位は、該瓦素地Ｗの裏面と差込側載置杆１０ｃの載置面１０ｃ−１との間において、頭側および尻側を支持させ、その中央部の該傾斜面１４ａが差込側載置杆１０ｃの載置面１０ｃ−１との間に空隙ｃを設けることにより乾燥することを特徴とする和型桟瓦の乾燥用パレットを乾燥に転用して行う異形瓦の乾燥方法。
【発明の詳細な説明】
【技術分野】
【０００１】
この発明は、瓦素地とりわけＳ形と称されている異形瓦用の瓦素地の乾燥用パレットによる乾燥方法に関する。
【背景技術】
【０００２】
現在の当業界では、瓦の乾燥工程に乾燥用パレットと称されているものが広く採用されている。
とりわけ、汎用性に富み、かつ、量産される和型桟瓦用の瓦素地（以下断りがない限り単に「和型桟瓦」と称する）の乾燥に備えて一工場でときには数千、数万枚の乾燥用パレットが採用されることが少なくない。
他方、最近、普及が増加している異形瓦用の瓦素地（以下断りがない限り単に「異形瓦」と称する）の乾燥にも当然のことながら、乾燥用パレットを必須とするものの、異形瓦と和型桟瓦の形態には、とりわけ、裏面の形態について共通性もあるものの、相違する点も少なくないから、異形瓦の乾燥を目的として和型桟瓦用の乾燥用パレットをそっくり利用できなかった。
【０００３】
そこで、前記の課題を解決するには、専ら異形瓦用に供する乾燥用パレットを用意する方法、和型桟瓦と異形瓦の乾燥に兼用できる機構を備えた乾燥用パレットを用意する方法が考えられる。
しかし、前者の場合では、理論的には好ましいものの、和型桟瓦用の乾燥用パレットと別に異形瓦専用の乾燥用パレットを数多く用意せざるを得ないから、乾燥用パレットの生産コストの負担を招くことのほか、乾燥工程において和型桟瓦用の乾燥用パレットに代えて異形瓦専用の乾燥用パレットに交換する作業を必要とする。
【０００４】
その上、生産頻度の高い和型桟瓦の乾燥を実施しようとすると、再び異形瓦専用の乾燥用パレットを和型桟瓦用の乾燥用パレットに交換せざるを得ない課題を生じる。
ところが、この乾燥用パレットの交換には多大な労力を必要とするほか、生産工程を中断せざるを得ないという大きな問題を生じるから、異形瓦用に供する乾燥用パレットを用意する方法は現実的ではない。
【０００５】
他方、後者のように和型桟瓦と異形瓦の乾燥に兼用できる機構を備えた乾燥用パレットを用意する方法が考えられ、例えば、登録実用新案第３００６２４５号公報により知られている（特許文献１を参照）。
【０００６】
しかし、和型桟瓦と異形瓦の乾燥に兼用できる乾燥用パレットを物理的に工夫できても、和型桟瓦と異形瓦の乾燥に備えて、その都度多数のパレットの兼用機構を操作せざる得ないから、その操作作業が繁雑であって、いくつかの発明がされているが、実施化に至っていない。
【０００７】
そこで、前記の課題を解決するため、この種の発明として特許第２７１９９３２号公報に記載された発明が知られている（特許文献２を参照）。
この発明は、異形瓦用の瓦素地の乾燥に際して、汎用性の高いいわゆる和型桟瓦の瓦素地の乾燥に使用される乾燥用パレットを転用して異形瓦の乾燥を行うものであった。
【０００８】
この乾燥用パレットには知られるように和型桟瓦用の瓦素地の桟側、谷部および差込側のそれぞれの裏面を支持することを目的として桟側載置杆、谷部載置杆および差込側載置杆が設けられたものであるが、専ら、和型桟瓦用の乾燥用パレットであるから、異形瓦の裏面の形態に工夫を施さない限り、瓦素地を乾燥用パレットの桟側載置杆、谷部載置杆および差込側載置杆上に載置させたときの自重による変形が発生するとういう問題を生じたので、その変形の防止を図るため、異形瓦の裏面の形態について工夫が施された。
【０００９】
そこで、この課題を解決することを目的としてたとえば、背景技術では、異形瓦の裏面の山部１２に頭２０から尻側１７に亘り、乾燥用パレットの各載置杆上に異形瓦を載置して乾燥する際に、瓦素地に裏面に各載置杆上に空隙を生じないように、支持突起６、６ａ、６ｂを設け、頭側２０、中間部及び尻側１７の三箇所で支持して、瓦本体１０を変形しないように支持可能としている（背景技術の第５図ほかを参照）。
【００１０】
そして、支持突起６、６ａ、６ｂが突出形成されているため、各載置杆の載置面３に瓦素地が面状に支持されることにより、軟らかい瓦素地Ｗが変形することなく支持されることになると、説明されている。
【００１１】
しかし、本発明者の実験によれば、支持突起６、６ａ、６ｂを突出形成することにより、瓦素地を載置面３に面状に支持させることにより、乾燥前の載置時では、軟らかい瓦素地Ｗを変形しないように支持できる有利性のある点で評価できたが、異形瓦の瓦素地Ｗの乾燥時にはいくつかの二次的問題が発生することを確認した。
【００１２】
まず、第１に異形瓦の裏面に載置杆上に載置させたときに、空隙を生じないようする支持突起を積極的に設けることを必須とすることから、瓦の裏面とはいうものの、支持突起の存在が製品に反映され、製品の裏面に支持突起が残存し、商品上の美観に欠け、屋根葺き時に障害になるおそれがあった。
【００１３】
第２に、背景技術では、異形瓦の裏面に支持突起６、６ａ、６ｂを突出形成することにより、これらの支持突起６、６ａ、６ｂを載置杆の載置面３に面状に支持させることにより、軟らかい瓦素地を変形しないようにしているが、乾燥前の載置時期では、問題がないとしても、乾燥時期では瓦素地が収縮することを回避できないから、この収縮時期に瓦素地は載置面３上を僅かではあるが、擦るように移動しようとするので、その結果、瓦素地の裏面と載置面３との間に摩擦が発生し、乾燥に伴う負荷が瓦素地にかかり、乾燥時期では瓦素地が変形し、切れや傷が発生するおそれのあることが確認された。
【００１４】
第３に、背景技術では、瓦素地の裏面は、空隙を生じないように、支持突起を設けることにより乾燥を図るようにしているから、安定性について問題がないとしても、素地の乾燥についていえば、瓦素地の裏面と載置面との間に空隙がないことにより、素地の載置面との載置部位は、乾燥の備えて供給される熱風が進入しないので、載置部位の乾燥が隣接する他の部位と比較して乾燥が遅くなり、よって乾燥斑を発生し、製品にその影響が生じ、製品に色斑を発生した。
【特許文献１】登録実用新案第３００６２４５号公報
【特許文献２】特許第２７１９９３２号公報
【発明の開示】
【発明が解決しようとする課題】
【００１５】
解決しようとする第１の課題は、前記した背景技術は、異形瓦用の乾燥用パレットを和型瓦用の乾燥用パレットと別に用意することなく、異形瓦の裏面に和型瓦用の乾燥用パレットに設けられた載置杆上に空隙を生じないように支持突起を設けることにより、その支持突起を載置杆上に支持させて乾燥を行うことによって、異形瓦用の乾燥用パレットの生産を省略できた点で評価できるものの、異形瓦の裏面に載置杆上に載置させたときに、空隙を生じないようする支持突起を積極的に設けることを必須とすることから、瓦の裏面とはいうものの、支持突起の存在が製品に反映され、製品の裏面に支持突起が残存し、商品上の美観に欠け、屋根葺き時に障害になるおそれがあった点である。
【００１６】
第２の課題は、乾燥時期では瓦素地が収縮することを回避できないから、この収縮時期に瓦素地は載置面３上を僅かではあるが、擦るように移動しようとするので、その結果、瓦素地の裏面と載置面３との間に摩擦が発生し、乾燥に伴う負荷が瓦素地にかかり、乾燥前の時期では、問題がないとしても、乾燥時期では瓦素地が変形し、切れや傷が発生するおそれがある点である。
【００１７】
第３の課題は、載置杆上に瓦素地を支持させて乾燥を行うのに、素地の裏面が載置杆の載置面に空隙のないように支持させる結果、載置面との載置部位は、乾燥の備えて供給される熱風が進入しないので、載置部位の乾燥が隣接する他の部位と比較して乾燥が遅くなり、よって乾燥斑を発生し、製品にその影響が生じ、製品に色斑を発生した点である。
【００１８】
この発明は前記した点を課題にしているほか、通常この種の瓦は、４枚程度結束して梱包されて出荷されるが、結束の有利性を図ることについてもその目的としている。
【課題を解決するための手段】
【００１９】
上記の目的を達成するため、この発明の第１の課題解決手段は、
和型桟瓦用の瓦素地の桟側、谷部および差込側のそれぞれに対応させて桟側載置杆、谷部載置杆および差込側載置杆が一定の間隔を隔てて備えられ、桟側載置杆の載置面は前方から後方にかけて中央部がやや高く、かつ、縦断面形状が上方に向う緩やかな略円弧状に設けられ、谷部載置杆は前方から後方にかけて凹部載置面と凸部載置面が交互に設けられ、全体としてその表面は略水平に設けられ、差込側載置杆の載置面は前方から後方にかけて中央部がやや低く、かつ、縦断面形状が外側から該谷部載置杆側に向けて下方に傾斜され、該桟側載置杆、谷部載置杆および差込側載置杆の少なくとも各載置面に空気流通孔が形成された和型桟瓦の瓦素地の乾燥用パレットを異形瓦用の瓦素地Ｗの乾燥に転用して行う異形瓦用の瓦素地の乾燥方法において、一方、異形瓦用の瓦素地Ｗの裏面の形態が和型桟瓦用の瓦素地の裏面の形態と共通な構成において、該乾燥用パレット上に載置させたときの異形瓦用の瓦素地の裏面の桟側載置杆の対応部位は、尻側から頭側にかけて設けられた断面円弧状の山部の裏面における頭寄りの位置と尻寄りの位置に、該山部の最大の深い箇所に膨出部をそれぞれ形成し、かつ、それぞれの膨出部のそれぞれの表面、を水平に設け、谷部載置杆の対応部位は、和型桟瓦用の瓦素地と同様に緩やかな断面円弧状であって、かつ、前記の山部側にかけて瓦素地の表面側に向けてやや傾斜させた円弧面を設け、差込側載置杆の対応部位は、外側から内側にかけて緩やかにその肉厚を徐々に谷部の肉厚と等しくなるように薄く傾斜部として形成し、かつ、その傾斜部の傾斜面を水平に設け、該異形瓦用の瓦素地の裏面のそれぞれの対応部位を該乾燥用パレットの桟側載置杆、谷部載置杆および差込側載置杆に載置させ、桟側載置杆の対応部位は、該両膨出部のそれぞれの表面の中央部を桟側載置杆の載置面に支持させるとともに、その中央部の両側は該瓦素地の裏面と桟側載置杆の載置面との間に空隙を生じさせることにより桟側載置杆から該瓦素地を遊離して配置させ、谷部載置杆の対応部位は、該瓦素地の裏面と谷部載置杆の凸部載置面の表面との間において桟側載置杆側に空隙を生じさせる一方、該瓦素地の裏面の差込側載置杆側の一部を谷部載置杆の載置面により支持させ、かつ、谷部載置杆の凹部載置面表面との間において空隙を形成させ、差込側載置杆の対応部位は、該瓦素地の裏面と差込側載置杆の載置面との間において、頭側および尻側を支持させ、その中央部の該傾斜面が差込側載置杆の載置面との間に空隙を設けることにより乾燥することを特徴とする和型桟瓦の乾燥用パレットを乾燥に転用して行う異形瓦の乾燥方法。
【発明の効果】
【００２０】
この発明は、上記の構成であるから、以下の作用効果を奏する。
この発明は和型桟瓦の乾燥用パレットを異形瓦の乾燥に転用し、異形瓦の乾燥を行うことのできる有利性を残しつつ、一方、異形瓦の瓦素地の裏面には、背景技術のように、乾燥用パレットの載置面に面状に支持される支持突起を一切設けることなく乾燥できるようにしたから、異形瓦の瓦素地の乾燥に和型瓦用の乾燥用パレットを活用しても目立つ支持突起の残存しない製品を得ることができる。
【００２１】
その上、瓦素地の乾燥に際して、一切、前記した支持突起をその裏面に設けることなく、該和型瓦の乾燥用パレットの３本の各載置杆の表面に対応する各対応部位において、空隙が積極的に残る状態により、各載置杆に支持させて乾燥を行うようにした。
桟側載置杆上では、瓦素地の該対応部位を二組の膨出部により支持させることにより、瓦素地は桟側載置杆上に遊離し、かつ、膨出部の両側には空隙を形成できる。
谷部載置杆上では、瓦素地の該対応部位の桟側載置杆側に空隙を形成できる。
かつ、谷部載置杆は、凹部載置面と凸部載置面が交互に設けられているから、凹部載置面上では、瓦素地が凹部載置面から遊離し、さらに瓦素地の桟側載置杆側に空隙を形成する。
差込側載置杆上では、瓦素地の該対応部位の頭、尻側の中央部に空隙を形成できる。
【００２２】
異形瓦用の瓦素地は、乾燥時の熱収縮に伴い該載置杆上を僅かではあるが、移動しようとするが、その際、異形瓦の瓦素地の裏面は該載置杆上に支持され密着するものの、空隙が残存し、瓦素地の各対応部位は該載置杆の載置面に接触しない部分があるから、収縮による移動に伴う摩擦が軽減されるので、瓦素地の移動について前記した空隙が寄与し、よって、変形を軽減できる。
したがって、異形瓦の乾燥時において、乾燥用パレットの載置杆と異形瓦の裏面との接触部分は最小面積を占めるに止まるから、載置杆上における異形瓦の収縮作用に伴う移動時の摩擦係数が少ないので、異形瓦の移動の融通性が高い。
したがって、乾燥時に和型瓦の乾燥用パレットを異形瓦の乾燥に転用するものの、乾燥時における変形を最小限に少なくできるから、変形の少ない異形瓦を得ることができる。
【００２３】
また、瓦素地の各対応部位と各載置杆との間には、空隙を形成できるから、乾燥に備えて熱風をそれぞれの空隙にも供給できるから、乾燥速度の向上化を図ることができ、乾燥斑を抑制でき、製品の色斑を抑制できる。
【発明を実施するための最良の形態】
【００２４】
乾燥時に和型桟瓦の乾燥用パレットを異形瓦の乾燥に転用するものの、製品の裏面に支持突起を残存することなく、乾燥時における変形を最小限に少なくするという目的を、異形瓦の裏面に支持突起を設けるに代えて、異形瓦の乾燥時における収縮に伴う移動に追従して瓦素地の移動の融通性に寄与する空隙を形成することにより、乾燥用パレットの載置杆に載置させて乾燥を行うことにより実現した。
【実施例】
【００２５】
以下この発明の実施例を図面を参照して説明する。
この発明は、汎用性の高い和型桟瓦の乾燥用パレット１０（以下断りのない限り単に「乾燥用パレット１０」と称する）を異形瓦の瓦素地Ｗの乾燥に転用して行う乾燥方法であるから、まず、乾燥用パレット１０を得る工程を明らかにする。
乾燥用パレット１０自体の構成は、当業界において知られるとおりであるが、一般的には、耐熱性のある金属製の一対の乾燥用パレット本体１０Ａ、１０Ａが設けられ、この一対の乾燥用パレット本体１０Ａ、１０Ａ上に金属製の３本の載置杆１０ａ、１０ｂ、１０ｃが一定の間隔を隔てて平行に掛け渡されている（図１を参照）。
【００２６】
これらの３本の載置杆１０ａ、１０ｂ、１０ｃは、本来、和型桟瓦用の瓦素地を載置させる支持部材であるが、図面上、左側から右側にかけて瓦素地の桟側を支持する桟側載置杆１０ａ、谷部を支持する谷部載置杆１０ｂおよび差込側を支持する差込側載置杆１０ｃとして構成されている（図１を参照）。
３本の載置杆のうち、桟側載置杆１０ａが高く、谷部載置杆１０ｂが低く、差込側載置杆１０ｃは両者の中間の高さである。
高低差の相違はあるが、倒立略Ｕ字状の形態のものである。
【００２７】
そこで、前記した３本の載置杆１０ａ、１０ｂ、１０ｃの形状について言及すると、桟側載置杆１０ａ、谷部載置杆１０ｂおよび差込側載置杆１０ｃは互いに共通な構成であるが、瓦素地の乾燥に備えて熱風を通過し易くすることを目的として両側が開放され、縦断面の形状が倒立略Ｕ字状の金属により構成されている。
また、これらの桟側載置杆１０ａ、谷部載置杆１０ｂおよび差込側載置杆１０ｃの後述する各載置面１０ａ−１、１０ｂ−２、１０ｃ−１には、瓦素地の乾燥を目的として熱風を通過し易くするため、空気流通孔１０ｄが多数形成されている。
これらの桟側載置杆１０ａ、谷部載置杆１０ｂおよび差込側載置杆１０ｃのうち、谷部載置杆１０ｂを除き、桟側載置杆１０ａおよび差込側載置杆１０ｃの各側面にも図示を省略したが、空気流通孔を多数形成することが予定されている。
【００２８】
そして、これらの桟側載置杆１０ａ、谷部載置杆１０ｂおよび差込側載置杆１０ｃの各表面、つまり、瓦素地の載置面１０ａ−１、１０ｂ−２、１０ｃ−１は、知られるように和型桟瓦用の瓦素地を乾燥用パレット１０の桟側載置杆１０ａ、谷部載置杆１０ｂおよび差込側載置杆１０ｃ上に載置させたときの安定性を図るため、和型桟瓦の桟側、谷部および差込側の各裏面の形態に倣うように形成されている。
【００２９】
桟側載置杆１０ａでは、図面上、前方から後方にかけて徐々に中央部が高く、縦断面形状が上方に向けて緩やかな略円弧状に設けられている。
桟側載置杆１０ａの後方（和型桟瓦を載置したときの尻側）では、５０．５ｍｍ、中央部では５４．００ｍｍ、前方（和型桟瓦を載置したときの頭側）では５１．００ｍｍの高さ、その幅は３０．００ｍｍ、長さ２４０．００ｍｍ、和型桟瓦の裏面を支持する桟側載置杆１０ａの円弧状の支持面の傾斜は、「Ｒ３」に設定されている。
【００３０】
谷部載置杆１０ｂの載置部は、前方から後方にかけて凹部載置面１０ｂ−１の深さは浅いが（６．８ｍｍ）、８．５ｍｍの凸部載置面１０ｂ−２と交互に凹凸面として略水平に設けられている。
その幅は４０．００ｍｍ、長さ２７０．００ｍｍに設定されている。
【００３１】
差込側載置杆１０ｃの載置面１０ｃ−１は外側（図面上でいえば右側）から谷部載置杆１０ｂに向けて下方に傾斜されている。
差込側載置杆１０ｃの後方（和型桟瓦を載置したときの尻側）では、３９．０ｍｍ、中央部では３７．１ｍｍ、前方（和型桟瓦を載置したときの頭側）では３９．００ｍｍの高さ、その幅は３０．００ｍｍ、長さ２６５．００ｍｍ、和型桟瓦の裏面を支持する差込側載置杆１０ｃの支持面の傾斜は、「Ｒ３」に設定されている。
【００３２】
したがって、和型桟瓦の乾燥用パレット１０上に和型桟瓦用の瓦素地を載置させて乾燥を行う限り、瓦素地の乾燥時の安定性について格別の課題を生じない。
しかし、和型桟瓦の乾燥用パレット１０を異形瓦の瓦素地Ｗの乾燥用に転用しようとすると、異形瓦の瓦素地Ｗの裏面の形態は和型桟瓦の裏面の形態と共通する点も少なくないが、異なる構成があるから、異形瓦の瓦素地Ｗの裏面の形態について工夫がない限り、和型桟瓦の乾燥用パレット１０を異形瓦用に供することのできないことが確認された。
【００３３】
そこで、この発明では、乾燥用パレット１０の構成に構造的変化を加えることなく、和型桟瓦の備える裏面との共通性を残しつつ、一方、異形瓦Ｗの裏面の形態に工夫を凝らすことにより、前記した課題の解決を図るようにしてある。
【００３４】
異形瓦Ｗを乾燥用パレット１０の３種類の桟側載置杆１０ａ、谷部載置杆１０ｂおよび差込側載置杆１０ｃ上に載置させたときのそれぞれの対応部位に工夫が凝らしてあるから、その具体的構成を説明する。
異形瓦Ｗの裏面の形態は、広く知られた和型桟瓦の裏面の形態と比較して基本的には相違が少ない。
異形瓦Ｗを乾燥用パレット１０上に載置させたときに異形瓦Ｗが乾燥用パレット１０に接触する部位は、３本の載置杆１０ａ、１０ｂ、１０ｃの各載置面１０ａ−１、１０ｂ−２、１０ｃ−１であり、３本の載置杆１０ａ、１０ｂ、１０ｃの各間は空白であるから、接触しない非接触部である。
したがって、非接触部については格別その構成について工夫を必要としない。
接触する部位は桟側載置杆１０ａとの対応部分と、谷部載置杆１０ｂとの対応部分と差込側載置杆１０ｃとの対応部分であるから、とりわけ、これらの接触する部位の構成について工夫が凝らしてある。
【００３５】
そこで、異形瓦用の瓦素地Ｗを得る工程を説明する。
異形瓦用の瓦素地Ｗを該乾燥用パレット１０上に載置させたときの異形瓦用の瓦素地Ｗの裏面の桟側載置杆１０ａの対応部位には、尻側から頭側にかけて断面円弧状の山部１２が形成されるとともに、該山部１２の裏面における頭寄りの位置に、山部１２の最大の深い箇所を埋めるように略扇形の膨出部１２ａが形成され、膨出部１２ａの表面Ｓが水平に設けられている（図２、図３を参照）。
略扇形の膨出部１２ａは、頭側の幅が広く、尻側にかけて幅を狭くしてある。
この扇形の膨出部１２ａの最大幅は、約３０．００ｍｍ程度である。
【００３６】
さらに、該山部１２の裏面における尻寄りの位置に、山部１２の最大の深い箇所を埋めるように略楕円形の膨出部１２ｂが形成され、膨出部１２ａの表面Ｓが水平に設けられている（図１、図４を参照）。
この略楕円形の膨出部１２ｂの最大幅は、約１０．００ｍｍ程度である。
【００３７】
さらに、山部１２と谷部１４の断面円弧状の境界付近において、尻側から中央部寄りに山部１２と谷部１４の断面円弧状の境界付近より、段部を境にしてやや低い扁平部１３が設けられている（図２、図１２、図１４を参照）。
詳細については追って説明するが、この扁平部１３は梱包に備え、４枚程度を積み重ねる場合の有利性に寄与するものである。
【００３８】
谷部載置杆１０ｂの対応部位は、和型桟瓦用の瓦素地と同様に緩やかな断面円弧状に形成されている。
そして、前記の山部１２側にかけて瓦素地Ｗの表面側にむけてやや傾斜させた円弧面１５を形成する（図２、図６、図１０を参照）。
【００３９】
差込側載置杆１０ｃの対応部位は、外側から内側にかけて緩やかにその肉厚を徐々に谷部の肉厚と等しくなるように薄く傾斜部１４として形成させ、かつ、その傾斜部１４の傾斜面１４ａを水平に設ける（図２、図６、図１１）。
【００４０】
次に前記した乾燥用パレット１０の桟側載置杆１０ａ、谷部載置杆１０ｂおよび差込側載置杆１０ｃ上に前記した異形瓦用の瓦素地Ｗを載置して乾燥を行う工程について説明する。
【００４１】
該異形瓦用の瓦素地Ｗの裏面のそれぞれの対応部位を該乾燥用パレット１０
の桟側載置杆１０ａ、谷部載置杆１０ｂおよび差込側載置杆１０ｃの各載置面１０ａ−１、１０ｂ−２、１０ｃ−１に載置させる（図５、図６を参照）。
【００４２】
桟側載置杆１０ａの対応部位は、前記した頭側と尻側の該膨出部１２ａ、１２ｂのそれぞれの表面Ｓ、Ｓの中央部を桟側載置杆１０ａの載置面１０ａ−１に支持させるとともに、それぞれの膨出部１２ａ、１２ｂの中央部の両側は該瓦素地Ｗの裏面と桟側載置杆１０ａの載置面１０ａ−１との間に空隙ｃ、ｃを生じさせ、桟側載置杆１０ａの載置面１０ａ−１から瓦素地Ｗを遊離して配置させる（図６、図７、図８を参照）。
【００４３】
谷部載置杆１０ｂの対応部位は、谷部載置杆１０ｂの凹部載置面１０ｂ−１と凸部載置面１０ｂ−１であるが、これらの両載置面１０ｂ−１、１０ｂ−２上に載置する。
このとき、瓦素地Ｗの裏面と凸部載置面の１０ｂ−２の間において桟側載置杆１０ａ側に空隙ｃを生じさせる一方、該瓦素地Ｗの裏面の差込側載置杆１０ｃ側の一部を谷部載置杆１０ｂの表面により支持させる（図６、図１０を参照）。
この場合、載置面は、凹部載置面１０ｂ−１と凸部載置面１０ｂ−２が交互に設けられているから、瓦素地Ｗは凸部載置面１０ｂ−２により支持され、凹部載置面１０ｂ−１と瓦素地Ｗの裏面との間には空隙ｃが形成される。
凹部載置面１０ｂ−１の高さは、凸部載置面１０ｂ−２に比較して低いから、瓦素地Ｗの裏面と凹部１０ｂ−１との間に空隙ｃが形成され、この空隙ｃを介して熱風が瓦素地Ｗの裏面に供給できるように配慮されている。
【００４４】
差込側載置杆１０ｃの対応部位は、該瓦素地Ｗの裏面と差込側載置杆１０ｃの表面との間において、頭側および尻側を支持させ、その中央部の前記した傾斜面１４ａと差込側載置杆１０ｃの載置面１０ｃ−１との間に空隙ｃを形成させて乾燥するものである（図５、図１１を参照）。
【００４５】
前記した瓦素地Ｗの傾斜面１４ａと差込側載置杆１０ｃの載置面１０ｃ−１との間の空隙ｃは、前記したように、傾斜面１４ａが水平に設けられているに対して、差込側載置杆１０ｃの載置面１０ｃ−１は、前方から後方にかけて中央部がやや低く設けられていることによっている（図１１を参照）
【００４６】
そのほか、この発明では、前記したように、山部１２と谷部１４の断面円弧状の境界付近において、尻側から中央部寄りに低い扁平部１３を設けることを説明したが、この扁平部１３を設けることにより、異形瓦Ｗを積み重ね、梱包する場合、山部１２の表面の頭寄りから尻寄りの部分に損傷を与えることを少なくできる利点がある。
【００４７】
さらに詳細にいえば、この発明の異形瓦Ｗの山部１２の断面円弧状の幅は、頭側が大きく、尻側にかけてやや小さいものであるから、第１番目の異形瓦の裏面の山部１２を第２番目の異形瓦の表面の山部１２に重ねた場合、第２番目の異形瓦の表面の頭寄りの山部１２に傷を生じないようにできる利点を有する（図１３、図１４を参照）。
【図面の簡単な説明】
【００４８】
【図１】この発明の実施の形態に係る乾燥用パレットの斜視図である。
【図２】この発明の実施の形態に係る異形瓦用の瓦素地の裏面の斜視図である。
【図３】この発明の実施の形態に係る異形瓦用の瓦素地の頭側の要部の拡大縦断面図である。
【図４】この発明の実施の形態に係る異形瓦用の瓦素地の尻側の要部の拡大縦断面図である。
【図５】この発明の実施の形態に係る乾燥用パレット上に異形瓦用の瓦素地を載置させた状態を示す平面図である。
【図６】この発明の実施の形態に係る図５のＡ−Ａ線の縦断面図である。
【図７】この発明の実施の形態に係る乾燥用パレット上に異形瓦用の瓦素地を載置させた状態を示す頭側の要部の拡大縦断面である。
【図８】この発明の実施の形態に係る乾燥用パレット上に異形瓦用の瓦素地を載置させた状態を示す尻側の要部の拡大縦断面である。
【図９】この発明の実施の形態に係る図５のＢ−Ｂ線の縦断面図である。
【図１０】この発明の実施の形態に係る図５のＤ−Ｄ線の縦断面図である。
【図１１】この発明の実施の形態に係る図５のＣ−Ｃ線の縦断面図である。
【図１２】この発明の実施の形態に係る異形瓦用の瓦素地の要部の縦断面図である。
【図１３】この発明の実施の形態に係る異形瓦用の梱包時の裏面斜視図である。
【図１４】この発明の実施の形態に係る図１３のＥ−Ｅ線の縦断面図である。
【符号の説明】
【００４９】
１０  乾燥用パレット
１０Ａ  乾燥用パレット本体
１０ａ  桟側載置杆
１０ｂ  谷側載置杆
１０ｃ  差込側載置杆
１０ａ−１  桟側載置杆の載置面
１０ｂ−１  谷側載置杆の凹部載置面
１０ｂ−２  谷側載置杆の凸部載置面
１０ｃ−１  差込側載置杆の載置面
１２  山部
１２ａ  頭側の膨出部
１２ｂ  尻側の膨出部
１３  扁平部
１４  傾斜部
１４ａ  傾斜面
１５  谷
Ｓ  膨出部の表面
Ｃ  空隙
Ｗ  異形瓦用の瓦素地
【図１】
2006062083.tif 000003
【図２】
2006062083.tif 000004
【図３】
2006062083.tif 000005
【図４】
2006062083.tif 000006
【図５】
2006062083.tif 000007
【図６】
2006062083.tif 000008
【図７】
2006062083.tif 000009
【図８】
2006062083.tif 000010
【図９】
2006062083.tif 000011
【図１０】
2006062083.tif 000012
【図１１】
2006062083.tif 000013
【図１２】
2006062083.tif 000014
【図１３】
2006062083.tif 000015
【図１４】
2006062083.tif 000016